(57)【特許請求の範囲】
【請求項１】
鉛直方向に延びる孔あき鋼板ジベルがあらかじめ設けられた鋼製土留め壁の構成部材を打設して形成された鋼製土留め壁と該鋼製土留め壁の片側に形成されたコンクリート壁が、前記孔あき鋼板ジベルを介して一体化されていることを特徴とする合成構造壁体。
【請求項２】
前記鋼製土留め壁が、一側にあらかじめ軸方向に延びる孔あき鋼板ジベルが設けられた多数の鋼管矢板により形成されていることを特徴とする請求項１記載の合成構造壁体。
【請求項３】
前記鋼製土留め壁が、片面にあらかじめ軸方向に延びる孔あき鋼板ジベルが設けられた多数の溝形鋼矢板により形成されていることを特徴とする請求項１記載の合成構造壁体。
【請求項４】
前記鋼製土留め壁が、フランジ面にあらかじめ軸方向に延びる孔あき鋼板ジベルが設けられた多数のＨ形断面の土留め用鋼材により形成されていることを特徴とする請求項１記載の合成構造壁体。
【請求項５】
横方向に多数並列的に配置することで鋼製土留め壁を構成する鋼材であって、打設前の該鋼材の表面にあらかじめ鋼材の軸方向に延びる孔あき鋼板ジベルが設けられていることを特徴とする土留め用鋼材。
【請求項６】
打設前の一側にあらかじめ軸方向に延びる孔あき鋼板ジベルが設けられていることを特徴とする鋼管矢板。
【請求項７】
打設前の片面にあらかじめ軸方向に延びる孔あき鋼板ジベルが設けられていることを特徴とする溝形鋼矢板。
【請求項８】
ウェブとフランジとでＨ形断面をなし、フランジの端部に継手を有する土留め用鋼材であって、打設前のフランジ外面にあらかじめ軸方向に延びる孔あき鋼板ジベルが設けられていることを特徴とする土留め用鋼材。
【請求項９】
請求項１〜４のいずれかに記載の合成構造壁体であって、前記コンクリート壁部分にせん断補強筋が配筋されており、該せん断補強筋の折り曲げられた端部が前記孔あき鋼板ジベルの孔に掛止されていることを特徴とする合成構造壁体。
【請求項１０】
請求項１〜４のいずれかに記載の合成構造壁体であって、前記コンクリート壁部分にせん断補強筋が配筋されており、該せん断補強の折り曲げられた端部を前記孔あき鋼板ジベルの長手方向に沿わせて配置してあることを特徴とする合成構造壁体。
【請求項１１】
請求項１〜４のいずれかに記載の合成構造壁体であって、該合成構造壁体と取り合う鉄筋コンクリート製底版から前記孔あき鋼板ジベルの近傍まで延長された鉄筋の端部がほぼ直角に折り曲げられており、該鉄筋の端部を前記孔あき鋼板ジベルの長手方向に沿わせて定着させてあることを特徴とする合成構造壁体。
【請求項１２】
請求項１〜４のいずれかに記載の合成構造壁体であって、該合成構造壁体と取り合う鉄筋コンクリート製底版から前記孔あき鋼板ジベルの近傍まで延長された鉄筋の端部と、前記鋼製土留め壁を構成する土留め用鋼材に一端が固定されたアンカー筋とを、重ね継手を用いて連続させてあることを特徴とする合成構造壁体。
【請求項１３】
請求項１〜４のいずれかに記載の合成構造壁体であって、該合成構造壁体と取り合う鉄筋コンクリート製底版から前記孔あき鋼板ジベルの近傍まで延長された鉄筋の端部が、前記鋼製土留め壁を構成する土留め用鋼材に固定されていることを特徴とする合成構造壁体。
【発明の詳細な説明】
【０００１】
【発明の属する技術分野】
本願発明は、鋼製土留め壁とその内側に形成される鉄筋コンクリート壁とを一体化してなる合成構造壁体および一体化のためのジベルを備えた土留め用鋼材に関するものである。
【０００２】
【従来の技術】
鋼矢板などからなる鋼製土留め壁と、鋼製土留め壁の内側に形成される鉄筋コンクリート壁とを一体化し、鋼製土留め壁を地中構造体の一部として利用することは、古くから行われている（例えば、特開昭５０−１５８１１０号公報、特開昭５６−１５６３０４号公報など参照）。
【０００３】
その場合、鋼矢板の内側を掘削して、鉄筋コンクリート壁を構築する際に、鋼矢板の表面にスタッドジベルなどのジベルを溶接し、配筋後、型枠を組んでコンクリートを打設するのが一般的である。
【０００４】
また、特開平７−３１０３６５号公報には、鋼製土留め壁と鉄筋コンクリート壁とを一体化して合成土留め壁を構築するに当り、鋼製土留め壁にスタッドジベル等のずれ止め部材の他、ずれ止め兼用のせん断補強筋をスタッド溶接などにより一緒に固定することで、鋼製土留め壁と鉄筋コンクリート壁の一体性を高めるとともに、配筋作業の容易化を図ったものが開示されている。
【０００５】
一方、道路橋などに用いられる合成桁用のジベルとしては、一般的なスタッドジベルや各種形状のジベルの他、帯状鋼板に所定の間隔で開口を設けた孔あき鋼板ジベルが知られている（例えば、西海、松岡：孔あき鋼板ジベルの拘束条件がずれ耐力に及ぼす影響に関する実験、第４回複合構造の活用に関するシンポジウム講演論文集、１９９９年１１月、第１５７〜１６２頁参照）。
【０００６】
【発明が解決しようとする課題】
合成桁などにおいては、ずれ止めとしてのジベルは、鋼桁の上面に溶接され、型枠を組み、配筋後、コンクリートを打設するといった施工が行われており、特にジベルが施工の障害となることがないため、実績のあるスタッドジベルが多用されている。
【０００７】
また、鋼製土留め壁と鉄筋コンクリート壁の一体化においても、スタッドジベルが用いられているが、打設前の鋼矢板にスタッドジベルを溶接すると、打設時にスタッドジベルが変形してしまうため、一般的には打設後、鋼製土留め壁の内側を掘削した後、ジベルの溶接を行っており、施工工程上のネックとなっている。
【０００８】
また、鉄筋コンクリート部分の主筋やせん断補強筋などの配筋も、ジベルを避けながら配筋するか、あるいは上述した特開平７−３１０３６５号公報記載の発明のように、せん断補強筋の一部をずれ止め兼用としてスタッド溶接するなど、配筋作業においても手間が多い。
【０００９】
本願発明は、従来技術における上述のような課題の解決を図ったものであり、施工性に優れ、せん断補強筋などの鉄筋コンクリート部分の配筋との取り合いや一体性の面でも有利な合成構造壁体の構造、およびそれに適した土留め用鋼材を提供することを目的としている。
【００１０】
【課題を解決するための手段】
本願の請求項１に係る合成構造壁体は、鉛直方向に延びる孔あき鋼板ジベルがあらかじめ設けられた鋼製土留め壁の構成部材を打設して形成された鋼製土留め壁と該鋼製土留め壁の片側に形成されたコンクリート壁が、前記孔あき鋼板ジベルを介して一体化されていることを特徴とするものである。
【００１１】
なお、コンクリート壁中に、鉄筋を配して鉄筋コンクリート壁とすれば、ひび割れ等の防止効果がある。
【００１２】
ずれ止めとしての孔あき鋼板ジベルは、鋼製土留め壁の打設方向である鉛直方向に配置することにより、打設時の変形がほとんど生じないので、あらかじめ鋼製土留め壁の構成部材である鋼矢板などに取り付けた状態で施工することができる。
【００１３】
すなわち、従来のスタッドジベルのように、土留め壁の内側を掘削した後に、現場で溶接等で固着させるといった作業が不要となり、現場作業の省力化、工期の短縮が図れる。
【００１４】
あからじめ孔あき鋼板ジベルを取り付けた状態での土留め用鋼材の打設は、バイブロハンマーによる施工、油圧式の圧入装置等による圧入施工の何れも可能である。特に、後述の端部に直線部を有するハット形鋼矢板は圧入施工に有利な形状である。
【００１５】
なお、バイブロハンマーによる施工は安価であるが、振動騒音を発生するため、都市部での使用は困難な場合が多い。一方、圧入施工は、無振動・無騒音であるが、バイブロハンマーによる施工に比べ、一般的にはコスト増となる。
【００１６】
孔あき鋼板ジベルは、帯状鋼板に多数の貫通孔を形成したものであり、溶接などにより上述のようにあらかじめ土留め用鋼材に取り付けた状態で施工することができ、後から打設される鉄筋コンクリート中に埋め込まれた状態で孔あき鋼板ジベルの両側のコンクリートが孔を通して連続することで、ずれ止めとしての高い効果が得られる。
【００１７】
また、孔あき鋼板ジベルの孔にせん断補強筋などの配筋を通したり、配筋の端部を係止するなどして、さらに鋼製土留め壁と鉄筋コンクリート間でのスムーズな応力伝達を図ることができる。
【００１８】
請求項２は、請求項１に係る合成構造壁体において、前記鋼製土留め壁が、一側にあらかじめ軸方向に延びる孔あき鋼板ジベルが設けられた多数の鋼管矢板により形成されている場合を限定したものである。
【００１９】
請求項１における鋼製土留め壁を形成するための土留め用鋼材としては、従来から用いられている種々の鋼材が使用可能であるが、鋼管矢板の場合は必要に応じた剛性のものを使用することで、仮設時に自立式土留め壁として供用することができ、切梁、腹起しを不要とすることができるため、あからじめ孔あき鋼板ジベルを溶接等で取り付けておく場合にも施工上の支障はない。
【００２０】
また、鋼管矢板の場合、地盤中への打設による先端閉塞効果により大きな鉛直支持力を期待することができる。
【００２１】
その他、鋼管矢板として、内面突起付き鋼管矢板または外面突起付き鋼管矢板を使用し、内部にコンクリートを充填することにより、壁体の曲げに対する抵抗力、鉛直耐力をさらに向上させることができ、より大深度の構造物への適用が可能となる。
【００２２】
なお、鋼管矢板の継手については、止水材を充填することで大きな止水効果を期待することができる。
【００２３】
請求項３は、請求項１に係る合成構造壁体において、前記鋼製土留め壁が、片面にあらかじめ軸方向に延びる孔あき鋼板ジベルが設けられた多数の溝形鋼矢板により形成されている場合を限定したものである。
【００２４】
溝形鋼矢板は、鋼製土留め用鋼材として広く用いられているものであり、Ｕ形鋼矢板（主として、凹部を形成する溝形の端部に継手を形成したもので、連結される各鋼矢板について凹部を形成する溝形の方向が交互になるもの）、ハット形鋼矢板（主として、凹部を形成する溝形の端部から両側に直線部が延び、その先端に継手を形成したもの）、非対称Ｕ型鋼矢板（主として、ハット形鋼矢板のうち特に継手を左右非対象とすることで、連結される各鋼矢板について凹部を形成する溝形の方向を片側に揃えることができるようにしたもの）などがある。
【００２５】
この場合も、あらかじめ孔あき鋼板ジベルを溶接等により固定した状態で、バイブロハンマーや圧入装置による施工が可能である。特に、端部に直線部を有するハット形鋼矢板の場合、油圧式の圧入装置で直線部を挟み込んだ状態での圧入が可能である。
【００２６】
また、非対称Ｕ型鋼矢板の場合は、敷地面積が限られているような場合でも、敷地ぎりぎりの施工が可能であり、かつ孔あき鋼板ジベルが溝形の凹部の内側に入り込むように配置すれば、施工用の圧入装置との干渉の問題もなく、鉄筋コンクリート壁部分との一体化の面でも有利である。
【００２７】
請求項４は、請求項１に係る合成構造壁体において、前記鋼製土留め壁が、フランジ面にあらかじめ軸方向に延びる孔あき鋼板ジベルが設けられた多数のＨ形断面の土留め用鋼材により形成されている場合を限定したものである。
【００２８】
土留め壁用の鋼材としては、両フランジの端部に継手を形成し、継手により多数連結するようにしたＨ形断面の土留め用鋼材も多用されており、鋼管矢板の場合と同様、適切な剛性のものを使用することで、仮設時に自立式土留め壁として供用することができる。
【００２９】
なお、継手部についても、鋼管矢板の場合と同様、止水材を充填することで大きな止水効果を期待することができる。
【００３０】
請求項５に係る発明は、上記請求項１に係る合成構造壁体に適した土留め用鋼材を与えるものであり、横方向に多数並列的に配置することで鋼製土留め壁を構成する鋼材であって、打設前の該鋼材の表面にあらかじめ鋼材の軸方向に延びる孔あき鋼板ジベルが設けられていることを特徴とする。
【００３１】
すなわち、土留め用鋼材として、あらかじめ孔あき鋼板ジベルを取り付けておくことで、現場施工においては、鋼製土留め壁の打設と同時にジベルの設置が完了することになる。また、この孔あき鋼板ジベルを利用して、せん断補強筋などの固定、係止、さらには応力伝達が可能となる。
【００３２】
請求項６に係る鋼管矢板は、請求項５に係る土留め用鋼材のより具体的な一形態を与えるものであり、打設前の一側にあらかじめ軸方向に延びる孔あき鋼板ジベルが設けられていることを特徴とし、請求項２に係る合成構造壁体に用いることができる。
【００３３】
請求項７に係る溝形鋼矢板も、請求項５に係る土留め用鋼材のより具体的な一形態を与えるものであり、打設前の片面にあらかじめ軸方向に延びる孔あき鋼板ジベルが設けられていることを特徴とし、請求項３に係る合成構造壁体に用いることができる。
【００３４】
請求項８に係る土留め用鋼材も、請求項５に係る土留め用鋼材のより具体的な一形態を与えるものであり、ウェブとフランジとでＨ形断面をなし、フランジの端部に継手を有する土留め用鋼材であって、打設前のフランジ外面にあらかじめ軸方向に延びる孔あき鋼板ジベルが設けられていることを特徴とし、請求項４に係る合成構造壁体に用いることができる。
請求項９に係る合成構造壁体は、請求項１〜４に係る合成構造壁体において、コンクリート壁部分にせん断補強筋が配筋されており、該せん断補強筋の折り曲げられた端部が前記孔あき鋼板ジベルの孔に掛止されている場合を限定したものである。
請求項１０に係る合成構造壁体は、請求項１〜４に係る合成構造壁体において、コンクリート壁部分にせん断補強筋が配筋されており、該せん断補強の折り曲げられた端部を前記孔あき鋼板ジベルの長手方向に沿わせて配置してある場合を限定したものである。
請求項１１に係る合成構造壁体は、請求項１〜４に係る合成構造壁体において、該合成構造壁体と取り合う鉄筋コンクリート製底版から前記孔あき鋼板ジベルの近傍まで延長された鉄筋の端部がほぼ直角に折り曲げられており、該鉄筋の端部を前記孔あき鋼板ジベルの長手方向に沿わせて定着させてある場合を限定したものである。
請求項１２に係る合成構造壁体は、請求項１〜４に係る合成構造壁体において、該合成構造壁体と取り合う鉄筋コンクリート製底版から前記孔あき鋼板ジベルの近傍まで延長された鉄筋の端部と、前記鋼製土留め壁を構成する土留め用鋼材に一端が固定されたアンカー筋とを、重ね継手を用いて連続させてある場合を限定したものである。
また、請求項１３に係る合成構造壁体は、請求項１〜４に係る合成構造壁体において、該合成構造壁体と取り合う鉄筋コンクリート製底版から前記孔あき鋼板ジベルの近傍まで延長された鉄筋の端部が、前記鋼製土留め壁を構成する土留め用鋼材に固定されている場合を限定したものである。
【００３５】
【発明の実施の形態】
図１は、本願発明の合成構造壁体の一実施形態を示したもので、土留め用鋼材１１（この例では請求項２、６の鋼管矢板に対応）からなる鋼製土留め壁ａと、鉄筋３を配筋した鉄筋コンクリート壁ｂを、土留め用鋼材１１の背面（掘削側）にあらかじめ溶接等で固着した孔あき鋼板ジベル１を介して一体化している。
【００３６】
孔あき鋼板ジベル１は、図１（ｂ）  に示すように、帯状の鋼板に多数の孔１ａを形成したものであり、土留め用鋼材１１にあらかじめ取り付けたまま、バイブロハンマーあるいは油圧式の圧入装置などで、地盤中に打設することができる。
【００３７】
図２は、本願の請求項３、７に係る発明の一実施形態を示したもので、土留め用鋼材としてハット形鋼矢板、特に非対称Ｕ型鋼矢板と呼ばれる溝形鋼矢板２１（以下、非対称Ｕ型鋼矢板という）を用い、その片面である溝形の凹部内に孔あき鋼板ジベル１を設け、鋼製土留め壁ａと鉄筋コンクリート壁ｂを一体化したものである。
【００３８】
本実施形態で用いた非対称Ｕ型鋼矢板は、図２（ｃ）  に示すように、溝形部２２の両端に直線部２３が形成され、その端部にそれぞれ互いに係合し合う非対称な継手２４ａ，２４ｂが設けられている。
【００３９】
この非対称Ｕ型鋼矢板は、一般的なＵ型鋼矢板と異なり、図２（ａ）  に示されるように、溝形部２２の凹部を同じ向きにして連結して行くことができるため、敷地面積を有効に利用した施工も可能であり、また直線部２３が設けられていることで、この部分を油圧式の圧入装置でつかみ圧入して行くことができる。また、直線部の他の効果として、打設時に受ける地盤からの抵抗に対し、軸周りにずれを生じることなく真っ直ぐ打設して行くことができる。
【００４０】
図３は、本願の請求項３、７に係る発明の他の実施形態を示したもので、図２の実施形態の場合と同様、非対称Ｕ型鋼矢板２１を用いている。図２の実施形態では、直線部２３および継手２４ａ，２４ｂ側が、合成構造壁体の厚み内に位置しているのに対し、図３の実施形態では溝形部２２側が合成構造壁体の厚み内に位置し、孔あき鋼板ジベル１を溝形部２２の底部背面に固着してある点で異なる。
【００４１】
なお、これら図２、図３に示したような非対称Ｕ型鋼矢板２１を鋼製土留め壁ａに用いた場合、合成構造壁体として曲げモーメントに抵抗する際に、非対称Ｕ型鋼矢板２１の内側近傍に位置する中立軸より外側は引張力が作用するするため、ここに充填されているコンクリートは構造強度に寄与しない。通常のＵ型鋼矢板に比べてこの部分が小さい非対称Ｕ型鋼矢板２１は、この無駄なコンクリートを減少させることによって安価とすることができる。
【００４２】
図４は、本願の請求項４に係る合成構造壁体に用いるための請求項８に係る土留め用鋼材の一実施形態についてその連結状態を示したものである。すなわち、土留め用鋼材としてフランジの端部に雌雄の継手３２ａ，３２ｂを有するＨ形断面鋼材３１を用い、これを連結することで鋼製土留め壁ａを形成する。
【００４３】
図では鉄筋コンクリート壁を省略しているが、鉄筋コンクリート壁が位置する、図中、上方のフランジ側に孔あき鋼板ジベル１を設けてある。孔あき鋼板ジベル１は溶接でもよいし、Ｈ形断面鋼材３１と一体成形し、あとから孔を穿設したものなどでもよく、孔あき鋼板ジベル１の取付け方法は特に限定されない。
【００４４】
また、この例では、各Ｈ形断面鋼材３１に孔あき鋼板ジベル１が１本ずつ設けられているが、平行に２本以上、複数設けてもよい。また、Ｈ形鋼断面鋼材３１の軸方向にも適当な長さを有する孔あき鋼板ジベル１を複数連続的にあるいは離散的に配置することも可能である。このことは、添付図面に示される他の実施形態についても同様である。
【００４５】
また、継手３２ａ，３２ｂの接合部に、止水材を用いれば、止水性をさらに高めることができる。
【００４６】
図５（ａ）  〜（ｃ）  は本願の請求項５に係る土留め用鋼材のバリエーションを示したものである。
【００４７】
図５（ａ）  は、土留め用鋼材４１として、非対称Ｕ型鋼矢板４１ａとＨ形鋼４１ｂを一体化し、コンクリート打設側となる非対称Ｕ型鋼矢板４１ａの凹部内に孔あき鋼板ジベル１を取り付けた場合である。
【００４８】
図５（ｂ）  は、土留め用鋼材４２として、非対称Ｕ型鋼矢板４２ａとＣＴ形鋼４２ｂを一体化し、コンクリート打設側となる非対称Ｕ型鋼矢板４２ａの凹部内に孔あき鋼板ジベル１を取り付けた場合である。
【００４９】
図５（ｃ）  も、土留め用鋼材４３として、非対称Ｕ型鋼矢板４３ａとＣＴ形鋼４３ｂを一体化し、孔あき鋼板ジベル１を取り付けた場合であるが、図５（ｂ）  とは非対称Ｕ型鋼矢板の向きが逆になっている。
【００５０】
このように、非対称Ｕ型鋼矢板とＨ形鋼またはＣＴ形鋼を組み立てて一体化した大断面の鋼材を使用することにより、壁体の曲げに対する抵抗力をさらに高めることができ、より大深度の構造物への適用が可能となる。また、仮設時に自立式土留め壁として供用することができ、切梁、腹起しを不要とすることもできる。
【００５１】
図６（ａ）  〜（ｄ）  は本願の請求項７に係る土留め用鋼材のバリエーションを示したものである。
【００５２】
図６（ａ）  は、土留め用鋼材５１として、通常の溝形鋼矢板（Ｕ型鋼矢板）５１ａの凹部内側にコンクリートとの付着を増すための多数の突起５１ｂと、孔あき鋼板ジベル１を取り付けた場合である。
【００５３】
突起５１ｂは、あらかじめ一体に成形されたものでも、あるいは後から溶接などにより取り付けたものでもよく、取付け方法等は特に限定されない。
【００５４】
図６（ｂ）  は、土留め用鋼材５２として、通常の溝形鋼矢板５２ａの凹部背面側にコンクリートとの付着を増すための突起５２ｂと、孔あき鋼板ジベル１を取り付けた場合である。鉄筋コンクリート壁は突起５２ｂおよび孔あき鋼板ジベル１を設けた側に形成される。
【００５５】
なお、図６（ａ）  、（ｂ）  の土留め用鋼材５１，５２は、通常の溝形鋼矢板の施工と同様に、交互に組み合わせて打設される。
【００５６】
図６（ｃ）  は、土留め用鋼材５３として、非対称Ｕ型鋼矢板５３ａの片側（図中、下側）に突起５３ｂ，５３ｃと孔あき鋼板ジベル１を取り付けた場合である。
【００５７】
使用形態は、図２の実施形態の場合と同様であり、突起５３ｂ，５３ｃを有することで、コンクリートとの付着性能が向上し、鋼製土留め壁と鉄筋コンクリート壁の一体性が高まる。
【００５８】
図６（ｄ）  は、土留め用鋼材５４として、非対称Ｕ型鋼矢板５４ａの片側（図中、上側）に突起５４ｂ，５４ｃと孔あき鋼板ジベル１を取り付けた場合である。
【００５９】
使用形態は、図３の実施形態の場合と同様であり、突起５４ｂ，５４ｃを有することで、コンクリートとの付着性能が向上し、鋼製土留め壁と鉄筋コンクリート壁の一体性が高まる。
【００６０】
図７は、本願発明の合成構造壁体の他の実施形態として、鉄筋を配筋する場合の例を示したものである。
【００６１】
図７は、本願発明の合成構造壁体の他の実施形態（請求項９に対応）として、鉄筋を配筋する場合の例を示したものである。
【００６２】
このような構成とすることで、孔あき鋼板ジベル１を取り付けた土留め用鋼材１１から構成される鋼製土留め壁ａとずれ止め兼用せん断補強筋４を配筋した鉄筋コンクリート壁ｂとの間での応力伝達がスムーズとなり、合成構造壁体としての一体性を高めることができる。
【００６３】
また、ずれ止め兼用せん断補強筋４の折り曲げた端部を孔あき鋼板ジベルの孔１ａに掛止するだけでよく、作業性が向上し、配筋の位置決めや保持の面でも有利である。
【００６４】
図８は、図７の実施形態と同様、鉄筋を配筋する場合の他の例（請求項１０に対応）を示したものである。この例は、ずれ止め兼用せん断補強筋４の端部を斜めに折り曲げて、孔あき鋼板ジベル１に沿わせて配置したものであり、ずれ止め兼用せん断補強筋４自体の加工は図７の実施形態の場合に比べ簡単である。
【００６５】
図９は、鋼製土留め壁ａと鉄筋コンクリート壁ｂを一体化した本願発明の合成構造壁体と鉄筋コンクリート製底版との取り合いの一例（請求項１１に対応）を示したもので、底版の鉄筋５を鋼製土留め壁ａに設けた孔あき鋼板ジベル１の近傍まで延長し、その端部をほぼ直角に折り曲げ、孔あき鋼板ジベル１に沿わせて定着させることで、合成構造壁体と底版ｃの一体化を図っている。
【００６６】
図１０(a) 〜(c) は本願発明の合成構造壁体と鉄筋コンクリート製底版との取り合いについてのバリエーションを示したものである（図(a) が請求項１２、図(b) ，(c) が請求項１３に対応）。
【００６７】
図１０（ａ）  の例では、底版ｃから合成構造壁体に向けてアンカー筋６を配置することとし、アンカー筋６の一端を土留め用鋼材１１にスタッド溶接７などにより固定し、このアンカー筋６と底版配筋５を重ね継手を用いて連続させたものである。
【００６８】
図１０（ｂ）  の例では、底版ｃの鉄筋５を延長し、その端部を土留め用鋼材１１にスタッド溶接７などにより固定している。
【００６９】
図１０（ｃ）  の例では、底版ｃの鉄筋５を延長し、その端部を土留め用鋼材１１に溶接などにより固定した鋼板等からなるコネクター８に溶接し、固定している。
【００７０】
【発明の効果】
本願発明の合成構造壁体は、鋼製土留め壁と鉄筋コンクリート壁とからなる合成構造壁体について、これらを鋼製土留め壁の鉛直方向に延びる孔あき鋼板ジベルを介して一体化したものであり、ずれ止めとしての孔あき鋼板ジベルを、あらかじめ鋼製土留め壁の構成部材である鋼矢板などに取り付けた状態で施工することができる。
【００７１】
したがって、従来のスタッドジベルのように、土留め壁の内側を掘削した後に、現場で溶接等で固着させるといった作業が不要となり、現場作業の省力化、工期の短縮を図ることができる。
【００７２】
また、孔あき鋼板ジベルを取り付けた状態での土留め用鋼材の打設は、バイブロハンマーによる施工、油圧式の圧入装置等による圧入施工の何れも可能であり、施工性の面でも利点が多い。
【００７３】
さらに、孔あき鋼板ジベルの孔にせん断補強筋などの配筋を通したり、配筋の端部を係止するなどして、さらに鋼製土留め壁と鉄筋コンクリート間でのスムーズな応力伝達を図ることができる。
【図面の簡単な説明】
【図１】本願発明の合成構造壁体の一実施形態を示したもので、（ａ）  は合成構造壁体の鉛直断面図、（ｂ）  は孔あき鋼板ジベルの斜視図である。
【図２】本願の請求項３、７に係る発明の一実施形態を示したもので、（ａ）  は合成構造壁体の水平断面図、（ｂ）  は同じく鉛直断面図、（ｃ）  は本実施形態で用いる孔あき鋼板ジベルを設けた溝形鋼矢板（非対称Ｕ型鋼矢板）の材軸直角方向断面図である。
【図３】本願の請求項３、７に係る発明の他の実施形態を示したもので、（ａ）  は合成構造壁体の水平断面図、（ｂ）  は同じく鉛直断面図である。
【図４】本願の請求項４に係る合成構造壁体に用いるための請求項８に係る土留め用鋼材の一実施形態についてその連結状態を示した平面図である。
【図５】（ａ）  〜（ｃ）  は本願の請求項５に係る土留め用鋼材のバリエーションを示す平面図である。
【図６】（ａ）  〜（ｄ）  は本願の請求項７に係る土留め用鋼材のバリエーションを示す平面図である。
【図７】本願発明の合成構造壁体の他の実施形態を示したもので、（ａ）  は合成構造壁体の鉛直断面図、（ｂ）  はそのＡ線矢視図である。
【図８】本願発明の合成構造壁体のさらに他の実施形態を示したもので、（ａ）  は合成構造壁体の鉛直断面図、（ｂ）  はそのＢ線矢視図である。
【図９】本願発明の合成構造壁体と鉄筋コンクリート製底版との取り合いの一例を示す鉛直断面図である。
【図１０】（ａ）  〜（ｃ）  は本願発明の合成構造壁体と鉄筋コンクリート製底版との取り合いについてのバリエーションを示す鉛直断面図である。
【符号の説明】
ａ…鋼製土留め壁、ｂ…鉄筋コンクリート壁、ｃ…底版、
１…孔あき鋼板ジベル、１ａ…孔、２…コンクリート、３…鉄筋、４…ずれ止め兼用せん断補強筋、５…底版鉄筋、６…アンカー筋、７…溶接、８…コネクター、
１１…鋼管矢板、２１…非対称Ｕ型鋼矢板、２２…溝形部、２３…直線部、２４ａ，２４ｂ…継手、３１…Ｈ形断面鋼材、３２ａ，３２ｂ…継手、
４１，４２，４３，５１，５２，５３，５４…土留め用鋼材
【図１】
0003614087.tif 000002
【図２】
0003614087.tif 000003
【図３】
0003614087.tif 000004
【図４】
0003614087.tif 000005
【図５】
0003614087.tif 000006
【図６】
0003614087.tif 000007
【図７】
0003614087.tif 000008
【図８】
0003614087.tif 000009
【図９】
0003614087.tif 000010
【図１０】
0003614087.tif 000011